Podtech/llm-jp-corpus-v4-ja_patent huggingface dataset:
【手続補正書】
【提出日】平成24年8月14日(2012.8.14)
【手続補正１】
【補正対象書類名】特許請求の範囲
【補正対象項目名】全文
【補正方法】変更
【補正の内容】
【特許請求の範囲】
【請求項１】
電極の洗浄方法であって、前記電極は、第１の面と第２の面と外周端とを含み、前記方法は、
ａ）経路に隣接してその対向する両側に複数の洗浄ノズルを提供し、
ｂ）好ましくは、底部外周端を支持することにより、より好ましくは、前記電極を概ね垂直に維持することにより前記電極を前記経路に沿って端部を縦にして搬送し、
ｃ）前記電極が前記経路に沿って搬送されるときに、前記電極の第１の面と第２の面とに当たるように前記ノズルからの洗浄スプレイを向け、好ましくは、前記洗浄スプレイは前記経路に対して概ね直交する方向に向けられ、より好もしくは、前記複数の洗浄ノズルの２つ以上は、前記電極の第１の面全体に亘って前記洗浄スプレイを実質的に垂直に向け、前記洗浄スプレイは、前記電極が前記経路に沿って搬送されるときに、前記第１の面の底部より先に前記第１の面の上部に当たる、
ことを含む洗浄方法。
【請求項２】
ａ）洗浄部を実質的に取り囲み、
ｂ）前記電極を端部を縦にして前記洗浄部へそれぞれ搬入、搬出可能な、入口と出口とを密封する機構を提供し、
ｃ）選択的に、前記洗浄部を外気圧に対して負圧に維持し、
ｄ）前記洗浄ノズルの下流の前記経路に隣接して、少なくとも１つのリンスノズルを提供し、前記電極が前記経路に沿って搬送されるときに、前記電極をリンスするために前記少なくとも１つのリンスノズルからのリンススプレイを向ける、
ことを更に含み、
前記方法は、好ましくは、前記洗浄スプレイに関連する洗浄部と前記リンススプレイに関連するリンス部とを実質的に分離して囲むことを更に含み、より好ましくは、前記洗浄部とリンス部とを外気圧に対して負圧に維持することを更に含む、
請求項１に記載の方法。
【請求項３】
ａ）前記少なくとも１つのリンスノズルの下からリンス廃水を回収し、
ｂ）前記リンス廃水の少なくとも一部を前記洗浄スプレイ用の前記洗浄ノズルへ供給する、
ことを更に含む、請求項１又は２に記載の方法。
【請求項４】
ａ）前記洗浄ノズルの上流の前記経路に隣接して、温水源に接続された少なくとも１つの前洗浄ノズルを提供し、
ｂ）洗浄前に前記電極を濡らしかつ前記電極温度を外気温度より上げるために、前記少なくとも１つの前洗浄ノズルからの前洗浄スプレイを前記電極上へ向け、
ｃ）前記洗浄ノズルの下から廃水を回収し、前記廃水の少なくとも一部を前記前洗浄スプレイ用の前記少なくとも１つの前洗浄ノズルへ供給する、
ことを更に含む、請求項１又は２に記載の方法。
【請求項５】
前記電極を乾燥させるために前記電極を空気流にさらすことを更に含む、請求項１〜４のいずれか１項に記載の方法。
【請求項６】
複数の電極の洗浄システムであって、前記電極のそれぞれは、第１の面と第２の面と外周端とを含み、前記システムは、
ａ）前記電極を経路に沿って端部を縦にして搬送するコンベヤであって、好ましくは、前記コンベヤは、各電極の底部外周端を支持するためのコンベヤベルトを含み、より好ましくは、前記コンベヤベルトは、前記各電極の底部外周端を支持して前記電極を前記コンベヤベルトよりも概ね上方に維持するための、少なくとも１つの支持留め具を含み、より好ましくは、前記コンベヤベルトは、前記電極を前記経路に沿って押し出すために、前記電極の後方外周端を係合するための少なくとも１つの安全止めを含む、当該コンベヤと、
ｂ）前記経路に隣接した対向する両側に配置された複数の洗浄ノズルであって、前記電極が前記経路に沿って搬送されるときに前記電極に当たるように向けられ、選択的に、前記経路に対してそれぞれが概ね直交する方向に向けられた洗浄ノズルであり、選択的に、前記複数の洗浄ノズルの２つ以上は、直線的に配置されてノズルアレイを形成し、前記ノズルアレイは、前記洗浄スプレイを前記電極の第１の面の全体に亘って実質的に垂直に向けるように適合され、前記ノズルアレイは、前記電極が前記経路に沿って搬送されるときに、前記洗浄スプレイを前記第１の面の底部より先に上部に当てるように角度が付けられている、当該複数の洗浄ノズルと、
を備え、
前記システムは、選択的に、前記経路の両側面に横方向に配置された複数のガイドレールを更に備え、前記ガイドレールは前記電極が前記経路に沿って搬送されるときに前記電極を概ね垂直に維持する、システム。
【請求項７】
前記洗浄ノズルに係わる洗浄部分を取り囲む囲いを更に備え、前記囲いは密封機構を有する入口と出口とを含んでおり、
前記システムは、選択的に、前記経路に隣接して配置された少なくとも１つのリンスノズルを更に備え、前記電極が前記経路に沿って前記洗浄ノズルから下流方向に搬送されるときに、前記電極をリンスするために、前記少なくとも１つのリンスノズルは前記経路の方向に向けられ、
選択的に、囲いを更に備え、前記囲いは、前記少なくとも１つの洗浄ノズルに係わる洗浄部と、前記少なくとも１つのリンスノズルに係わるリンス部とを実質的に分離して囲い込み、前記洗浄部と前記リンス部とは隔壁によって分離されている、請求項６に記載のシステム。
【請求項８】
前記少なくとも１つのリンスノズルの直下に配置されたリンスタンクを更に備え、前記リンスタンクは前記洗浄ノズルにリンス廃水を供給するために前記洗浄ノズルに接続されている、請求項６又は７に記載のシステム。
【請求項９】
前記経路に隣接して配置された少なくとも１つの前洗浄ノズルを更に備え、前記電極が前記経路に沿って前記洗浄ノズルから下流方向に搬送されるときに、前記少なくとも１つの前洗浄ノズルは、前記電極を濡らすために前記経路の方向に向けられ、
好ましくは、前記少なくとも１つの前洗浄ノズルは温水源に接続されて、前記前洗浄スプレイが洗浄前に電極温度を外気温度よりも上げるようになっている、請求項６〜８のいずれか１項に記載のシステム。
【請求項１０】
前記洗浄ノズルの直下に配置された洗浄タンクを更に備え、前記洗浄タンクは前記前洗浄ノズルに接続されて、前記洗浄廃水の少なくとも一部を前記前洗浄スプレイ用に前記前洗浄ノズルに供給し、
より好ましくは、前記囲いの中の空間を外気圧に対して負圧に維持するように適合された排気システムを更に備える、請求項９に記載のシステム。
【請求項１１】
前記電極を乾燥するために前記囲いの出口に配置された乾燥システムを更に備え、
前記乾燥システムは、選択的に、前記電極の経路の対向する両側に概ね垂直に延びる一対のプレナムを含み、前記プレナムの各々は、前記電極の側面に沿って空気を吸引するための、垂直に延びる縦長の隙間を含み、前記プレナムは空気を排出するための前記排気システムに接続され、
前記乾燥システムは、選択的に、前記電極を端部を縦にしてその間を搬送することが可能な大きさの縦長の通路を含み、前記乾燥システムは、それによって前記電極の周りの空気流を最小化し、前記囲いを前記乾燥システムに対してほぼ密封状態に維持する密封機構を更に含む、請求項１０に記載のシステム。
【請求項１２】
前記システムの２つの組合わせであって、前記２つのシステムが別々の電極列を洗浄するために平行に配列されている、請求項６〜１１のいずれか１項に記載の２つのシステム。
【手続補正書】
【提出日】平成24年4月5日(2012.4.5)
【手続補正１】
【補正対象書類名】特許請求の範囲
【補正対象項目名】全文
【補正方法】変更
【補正の内容】
【特許請求の範囲】
【請求項１】
以下の成分を含む芳香族ポリカーボネートおよびポリ乳酸のブレンド：
（ａ）  成分（ａ）および（ｂ）１００重量部当たり、芳香族ポリカーボネート５−９５重量部；
（ｂ）  成分（ａ）および（ｂ）１００重量部当たり、ポリ乳酸９５−５重量部；および
（ｃ）  成分（ａ）および（ｂ）１００重量部当たり、エステル交換触媒０．０５−１重量部。
【請求項２】
ブレンドが、
（ｄ）  成分（ａ）および（ｂ）１００重量部当たり、難燃剤１−２５重量部；および
（ｅ）  成分（ａ）および（ｂ）１００重量部当たり、フッ素系樹脂０．３−２重量部
をさらに含む請求項１に記載の芳香族ポリカーボネートおよびポリ乳酸のブレンド。
【請求項３】
ブレンドが、
（ｆ）  潤滑剤、離型剤、核剤、スタビライザー、フィラー、補強剤、帯電防止剤、色素、および顔料からなるグループから選択される少なくとも１種の添加剤を、成分（ａ）および（ｂ）１００重量部当たり、０．５−１０重量部
さらに含む請求項２に記載の芳香族ポリカーボネートおよびポリ乳酸のブレンド。
【請求項４】
エステル交換触媒が、ジブチル錫オキシド、錫オキサレート、錫アセテート、テトラブチルチタネート、テトラブチルチタネート、チタンオキサレート、二酸化チタン、三酸化アンチモン、タルトレートアンチモニル塩、亜鉛アセテート、亜鉛ステアレート、亜鉛アセチルアセトネート、トリフェニルボロン、亜鉛ボレート、テトラメチルアミンヒドロキシド、テトラエチルアミンヒドロキシド、テトラブチルアミンヒドロキシド、テトラアニリンヒドロキシド、トリメチルアミン、トリエチルアミン、トリオクチルアミン、トリフェニルアミン、ジフェニルメチルアミン、アルキル第二アミン、アリール第二アミン、アルキル第一アミン、アリール第一アミン、ピリジン、メチルピリジン、メトキシピリジン、キノリン、イミダゾール、アルカリ金属の水酸化物、アルカリ金属の水素化物、アルカリ金属のアミド、アルカリ金属のカーボネート、アルカリ金属のホスフェート、アルカリ金属のボレート、アルカリ金属の有機塩、アルカリ土類の水酸化物、アルカリ土類の水素化物、アルカリ土類のアミド、アルカリ土類のカーボネート、アルカリ土類のホスフェート、アルカリ土類のボレート、およびアルカリ土類の有機塩からなるグループから選択される請求項１〜３のいずれかに記載の芳香族ポリカーボネートおよびポリ乳酸のブレンド。
【請求項５】
エステル交換触媒がテトラブチルチタネートである請求項４に記載の芳香族ポリカーボネートおよびポリ乳酸のブレンド。
【請求項６】
以下の成分（ａ）、（ｂ）および（ｃ）をブレンドすることを含む、芳香族ポリカーボネートおよびポリ乳酸のブレンドの製造方法；
（ａ）  成分（ａ）および（ｂ）１００重量部当たり、芳香族ポリカーボネート５−９５重量部；
（ｂ）  成分（ａ）および（ｂ）１００重量部当たり、ポリ乳酸９５−５重量部；および
（ｃ）  成分（ａ）および（ｂ）１００重量部当たり、エステル交換触媒０．０５−１重量部。
【請求項７】
以下の成分（ｄ）および（ｅ）を、成分（ａ）、（ｂ）および（ｃ）とブレンドすることをさらに含む請求項６に記載の方法；
（ｄ）  成分（ａ）および（ｂ）１００重量部当たり、難燃剤１−２５重量部；および
（ｅ）  成分（ａ）および（ｂ）１００重量部当たり、フッ素系樹脂０．３−２重量部。
【請求項８】
以下の成分（ｆ）を、成分（ａ）、（ｂ）、（ｃ）、（ｄ）および（ｅ）とブレンドすることをさらに含む請求項７に記載の方法；
（ｆ）  潤滑剤、離型剤、核剤、スタビライザー、フィラー、補強剤、帯電防止剤、色素、および顔料からなるグループから選択される添加剤を、成分（ａ）および（ｂ）１００重量部当たり、０．５−１０重量部。
【請求項９】
ブレンド操作を成分（ｂ）の融点以上の温度で行う請求項６〜８のいずれかに記載の方法。
【請求項１０】
請求項１〜５のいずれかに記載のブレンドを含む機械製品または部品、電子機器および/または部品、建築材料、および/または商品。
【手続補正書】
【提出日】平成24年9月7日(2012.9.7)
【手続補正１】
【補正対象書類名】明細書
【補正対象項目名】００１２
【補正方法】変更
【補正の内容】
【００１２】
上記の式（Ｉ）の好ましい化合物は、好ましくは１つ、２つ又は３つの、そしてより好ましくは２つのスルホ基を有する。その好ましい２つのスルホ基は、置換基Ｒ１、Ｒ２のいずれか一方であることが好ましいか、又は置換基Ｒ１、Ｒ２を形成する。最も好ましい化合物において、Ｒ１はスルホ基を示し、そしてＲ２はＨを示す。
【手続補正２】
【補正対象書類名】明細書
【補正対象項目名】００２２
【補正方法】変更
【補正の内容】
【００２２】
これらの方法において、文献から知られる次の式（ＩＩ）の化合物の両方のアミン官能基は、慣習的にジアゾ化され、そして全部で二当量のその次の式（ＩＩＩ）の化合物に結合される。
【手続補正３】
【補正対象書類名】明細書
【補正対象項目名】００２６
【補正方法】変更
【補正の内容】
【００２６】
この方法において、特定のアミンを０〜１０℃、あるいは好ましくは０〜５℃まで冷却し、そしてニトロシル硫酸を添加することによってジアゾ化する。その後、ジアゾ化されたアミンを、必要に応じて上記の化合物（ＩＩＩ）と、好ましくは水性溶液中で反応させる。
【手続補正４】
【補正対象書類名】明細書
【補正対象項目名】００３４
【補正方法】変更
【補正の内容】
【００３４】
本発明による染料及びそれらの塩は、公知の酸性染料と高度に相容性である。そのため、式（Ｉ）の染料、それらの塩又は混合物は、染色又は印刷工程中などで、単独で、又は組み合わせの色合いの染色又は印刷組成物中の成分として、同じクラスのその他の酸性染料、すなわち、例えば、堅牢特性及び染浴から基材上への吸尽速度のような染色特性が同程度の特性を有する酸性染料と一緒に使用できる。本発明の染料は、適当な発色団を有するある種のその他の染料と特に一緒に使用できる。染料が、組み合わせの色合いの染色又は印刷組成物中に存在する割合は、得るべき色相に左右される。
【手続補正５】
【補正対象書類名】明細書
【補正対象項目名】００３６
【補正方法】変更
【補正の内容】
【００３６】
式（Ｉ）の新規な染料の決定的な利点の一つは、それらが金属を含まず、かつ、非常に均染な染色物をもたらすことである。
【手続補正６】
【補正対象書類名】明細書
【補正対象項目名】００３７
【補正方法】変更
【補正の内容】
【００３７】
本発明による化合物は、単一の染料などとして、あるいはそれらの良好な相容性の故に、例えば、一般的な堅牢性、吸尽値等に関連する同程度の染色特性を有する同じクラスの別の染料と共に、組み合わせ成分として使用できる。得られる組み合わせの色合いの染色物は、個別の染料を用いた場合と同様の染色堅牢性を有する。
【手続補正７】
【補正対象書類名】明細書
【補正対象項目名】００３８
【補正方法】変更
【補正の内容】
【００３８】
本発明の式（Ｉ）の染料はまた、三原色の染色又は印刷における赤色成分としても使用できる。三原色の染色又は印刷は、例えば、連続法、吸尽法（ｅｘｈａｕｓｔｉｏｎ  ｐｒｏｃｅｓｓ）、気泡染色法、及びインクジェット法のような慣用的及び公知の染色法及び印刷法の全てを利用できる。
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
カーボンナノチューブ、および
式Ｐ−（Ｕ−Ｙ）ｓを有する分散剤、式中Ｐは金属含有または金属非含有フタロシアニンの残基であり、Ｙは５００から５０００ｇ／ｍｏｌの分子量を有する相容化部位であり、ＵはＹとＰを共有結合する結合部位であり、ｓは１から４の整数である、
の組み合わせを含む組成物。
【手続補正２】
【補正対象書類名】明細書
【補正対象項目名】０１０４
【補正方法】変更
【補正の内容】
【０１０４】
詳細に本発明とその利点について説明したが、様々な変更、置換、および他の異様が使用できるのことを理解することが望ましい。さらに本願の範囲は明細書に記載された特定のプロセス、機械、製造方法、物質の組成、手段、方法および工程に制限されることを意図しない。当業者が本発明の開示から容易に理解するように、プロセス、機械、製造方法、物質の組成、手段、方法および工程は、本明細書に記載された実施態様と実質的に同じ機能を発揮するかまたは同様の結果を与える、現在知られているもの、および今後開発されるものの両者が、本願発明において有用に利用される
本願発明はその実施態様として以下を含む。
第１項：  カーボンナノチューブ、および
式Ｐ−（Ｕ−Ｙ）ｓを有する分散剤、式中Ｐは金属含有または金属非含有フタロシアニンの残基であり、Ｙは５００から５０００ｇ／ｍｏｌの分子量を有する相容化部位であり、ＵはＹとＰを共有結合する結合部位であり、ｓは１から４の整数である、
の組み合わせを含む組成物。
第２項：  カーボンナノチューブは、シングルウォール（ＳＷＣＮＴ）、ダブルウォール（ＤＷＣＮＴ）、またはマルチウォール（ＤＷＣＮＴ）のナノチューブまたはそれらの混合物である、第１項記載の組成物。
第３項：  カーボンナノチューブは、バンブーカーボンナノチューブ、カーボンフィブリル、カーボンナノ繊維、気相成長カーボン繊維、またはシリンダー状カーボンナノチューブである、第１項記載の組成物。
第４項：  Ｐは銅、アルミニウム、または亜鉛であり、Ｙはポリアルキレン、ポリアルキレンオキシド、ポリエステル、ポリアミン、ポリアミド、ポリエーテルアミン、ポリイミド、ポリスチレン、ポリ（塩化ビニル）、ポリウレタンまたはそれらの組み合わせである、第１から３のいずれか１項項記載の組成物。
第５項：  Ｙはポリアルキレン部位、またはポリアルキレンオキシド部位を含む、第１から３のいずれか１項項記載の組成物。
第６項：  結合部位Ｕが、−Ｃ−、−Ｏ−、−Ｓ−、−Ｎ−、−ＮＨ−、−ＣＯＯ−、−ＣＯＮＨ、−ＮＨＳＯ２−、−ＣＯ−、アルキレンまたはそれらの組み合わせからなる群から選択される、第１から５のいずれか１項項記載の組成物。
第７項：  カーボンナノチューブと分散剤の組み合わせが固体である、第１から６のいずれか１項項記載の組成物。
第８項：  さらにホストマトリックスと組み合わされる、第１から７のいずれか１項項記載の組成物。
第９項：  ホストマトリックスが、ポリマー、金属、金属酸化物、セラミック、溶媒、プレポリマ−、放射線硬化可能なシステムまたはそれらの組み合わせから成る群から選択される、第８項記載の組成物。
第１０項：  ホストマトリックスが、縮合、フリーラジカル、イオン、または活性放射線により硬化可能なポリマーである、第９項記載の組成物。
第１１項：  ホストマトリックスが導電性ポリマーまたはエネルギー硬化可能な組成物を含む、第８項記載の組成物。
第１２項：  第１から１１のいずれか１項項記載の組成物をホストマトリックス中に分散することを含む方法。
第１３項：  超音波処理、高速せん断混合、メディア混合または溶融混合で分散が行われる、第１２項記載の方法。
第１４項：  第１から１１のいずれか１項項記載の組み合わせを含むか、またはこれにより構成される物品。
第１５項：  電気貯蔵デバイス、エネルギー貯蔵デバイス、または流体である、第１４項記載の物品。
第１６項：  流体がインキまたはコーティングである、第１５項記載の物品。
【手続補正書】
【提出日】平成24年3月21日(2012.3.21)
【手続補正１】
【補正対象書類名】特許請求の範囲
【補正対象項目名】全文
【補正方法】変更
【補正の内容】
【特許請求の範囲】
【請求項１】
３０％以上のリナロールを含むエッセンシャルオイルの有効な量を含む香りのない洗濯洗剤組成物であって、該エッセンシャルオイルは洗濯物に芳香を付与するように機能せず、洗浄プログラムの間、布帛をコンディショニングするのに、有効な量でリナロールが存在する洗濯洗剤組成物。
【手続補正２】
【補正対象書類名】明細書
【補正対象項目名】０１０７
【補正方法】変更
【補正の内容】
【０１０７】
上記のデータから示されるように、芳香剤としてリナロールを含んでいた洗剤と比べると、芳香剤として配合されなかった３０％以上のリナロールを含む洗剤で洗濯された洗濯物は、より優れた軟化特性を示した。
本願発明はその実施態様として以下を含む。
第１項：  ３０％以上のリナロールを含むエッセンシャルオイルの有効な量を含む香りのない洗濯洗剤組成物であって、該エッセンシャルオイルは洗濯物に芳香を付与するように機能せず、洗浄プログラムの間、布帛をコンディショニングするのに、有効な量でリナロールが存在する洗濯洗剤組成物。
第２項：  エッセンシャルオイルの有効な量が０．１から０．３重量％の範囲である、第１項記載の洗濯洗剤組成物。
第３項：  エッセンシャルオイルの有効な量が０．２重量％である、第２項記載の洗濯洗剤組成物。
第４項：  エッセンシャルオイルがラベンダーオイルである、第１項記載の洗濯洗剤組成物。
第５項：  ラベンダーオイルが０．０１から０．０５ｇの範囲の有効濃度を有する、第４項記載の洗濯洗剤組成物。
第６項：  ラベンダーオイルが０．０３ｇの有効濃度を有する、第５項記載の洗濯洗剤組成物。
第７項：  リナロールのない洗剤または３０％未満のリナロールを含むエッセンシャルオイルを含む洗剤で洗濯した布帛と比較して、洗濯された布帛が柔らかい、第１項記載の洗濯洗剤組成物。
第８項：  リナロールのない洗剤または３０％未満のリナロールを含むエッセンシャルオイルを含む洗剤と比較して、洗濯された布帛の石鹸残留物を減少させる、第１項記載の洗濯洗剤組成物。
第９項：  リナロールのない洗剤または３０％未満のリナロールを含むエッセンシャルオイルを含む洗剤と比較して、洗濯された布帛の保色性を改良する、第１項記載の洗濯洗剤組成物。
第１０項：  リナロールのない洗剤または３０％未満のリナロールを含むエッセンシャルオイルを含む洗剤と比較して、洗濯された布帛における静電気が減少される、第１項記載の洗濯洗剤組成物。
第１１項：  洗剤が粉末洗剤である、第１項記載の洗濯洗剤組成物。
第１２項：  洗剤が液体洗剤である、第１項記載の洗濯洗剤組成物。
第１３項：  エッセンシャルオイルは、洗浄および乾燥の間の蒸発速度のコントロールのために、担体材料上に堆積されず、カプセル化されず、化合物中に組み込まれない、第１項記載の洗濯洗剤組成物。
第１４項：  以下を含む洗濯された布帛上の石鹸残留物の減少方法：
ａ）３０％以上のリナロールを含むエッセンシャルオイルの有効な量を含む香りのない洗濯洗剤組成物を布帛に加えること、および
ｂ）  該布帛を洗浄することを含み、洗濯された該布帛が、リナロールを含まない洗剤または３０％未満のリナロールを含むエッセンシャルオイルを含んでいる洗剤で洗濯された布帛と比較して、よりコンディショニングされ、より少ない洗剤残留物を有する、
第１５項：  エッセンシャルオイルの有効な量が０．１から０．３重量％の範囲である、第１４項記載の方法。
第１６項：  エッセンシャルオイルの有効な量が０．２重量％である、第１５項記載の方法。
第１７項：  エッセンシャルオイルがラベンダーオイルである、第１４項記載の方法。
第１８項：ラベンダーオイルが０．０１から０．０５ｇまで及ぶ有効濃度を有する、第１７項記載の方法。
第１９項：  ラベンダーオイルが０．０３ｇの有効濃度を有する、第１８項記載の方法。
第２０項：  リナロールのない洗剤または３０％未満のリナロールを含むエッセンシャルオイルを含む洗剤で洗濯した布帛と比較して、洗濯された布帛が柔らかい、第１４項記載の方法。
第２１項：リナロールのない洗剤または３０％未満のリナロールを含むエッセンシャルオイルを含む洗剤と比較して、洗濯された布帛の保色性を改良する、第１４項記載の方法。
第２２項：  リナロールのない洗剤または３０％未満のリナロールを含むエッセンシャルオイルを含む洗剤と比較して、洗濯された布帛における静電気が減少される、第１４項記載の方法。
第２３項：  リナロールの有効量が０．００４％から０．０１２％までの範囲であり、該リナロールが洗浄プログラムの間、布帛をコンディショニングするのに有効である、香りのない洗濯洗剤組成物。
第２４項：  リナロールが合成のリナロールである、第２３項記載の洗濯洗剤組成物。
【手続補正書】
【提出日】平成24年9月5日(2012.9.5)
【手続補正１】
【補正対象書類名】特許請求の範囲
【補正対象項目名】請求項６
【補正方法】変更
【補正の内容】
【請求項６】
水性溶剤と遷移金属塩とを含む混合物を、粒状の、表面架橋されていない吸水性ポリマー上に流動床内で噴霧する、請求項１から５までのいずれか１項に記載の吸水性材料。
【手続補正書】
【提出日】平成24年8月30日(2012.8.30)
【手続補正１】
【補正対象書類名】特許請求の範囲
【補正対象項目名】全文
【補正方法】変更
【補正の内容】
【特許請求の範囲】
【請求項１】
【化１】
2012502037.tif 000001
の構造を有する化合物であって、
式中、
Ｒ４は、非置換のアルキルであり、
Ｒｄは、Ｈ、非置換のＣ１−Ｃ６アルキル、ＣＯＲ１０、および−Ｃ（Ｏ）ＯＲ１０からなる群から選択され、
式中、Ｒ１０は、Ｈまたは非置換のＣ１−Ｃ６アルキルである、化合物、またはその塩。
【請求項２】
【化２】
2012502037.tif 000002
の構造を有する、請求項１に記載の化合物。
【請求項３】
【化３】
2012502037.tif 000003
の構造を有する、請求項２に記載の化合物。
【請求項４】
【化４】
2012502037.tif 000004
の構造を有する、請求項１に記載の化合物。
【請求項５】
【化５】
2012502037.tif 000005
の構造を有する、請求項４に記載の化合物。
【請求項６】
【化６】
2012502037.tif 000006
の構造を有する、請求項４に記載の化合物。
【請求項７】
【化７】
2012502037.tif 000007
の構造を有する、請求項１に記載の化合物。
【請求項８】
【化８】
2012502037.tif 000008
の構造を有する、請求項１に記載の化合物。
【請求項９】
【化９】
2012502037.tif 000009
の構造を有する、請求項１に記載の化合物。
【請求項１０】
（ａ）請求項１〜９のいずれか一項に記載の化合物と、
（ｂ）医薬的に許容される賦形剤と、を含む、医薬製剤。
【請求項１１】
前記製剤は、単位剤形である、請求項１０に記載の製剤。
【請求項１２】
前記製剤は、経口または局所使用用である、請求項１０に記載の製剤。
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
ＨＩＶ−１のＣＣＲ５向性株による、ヒト被験体の感受性細胞の感染を阻害するための薬学的組成物であって、前記被験体の細胞に結合する抗体の産生を誘導する免疫原を含み、前記細胞は：
ｉ）ＣＣＲ５結合性ケモカインを産生し、そして
ｉｉ）その細胞表面上に該抗体によって認識される抗原を有する
ものであり、
前記薬学的組成物は、単独でまたはＨＩＶ−１の前記ＣＣＲ５向性株の存在下のいずれかで、産生されるＣＣＲ５結合性ケモカインのレベルが前記感受性細胞感染の前記阻害を達成するのに十分であるような量および条件下で、投与される
前記薬学的組成物。
【請求項２】
前記被験体の前記感受性細胞がＴ細胞である、請求項１記載の薬学的組成物。
【請求項３】
ＣＣＲ５結合性ケモカインを産生する前記被験体の前記細胞が、単球、マクロファージまたは樹状細胞である、請求項１記載の薬学的組成物。
【請求項４】
前記抗原が細胞脂質二重層の表面脂質である、請求項１記載の薬学的組成物。
【請求項５】
前記抗原がホスファチジルセリン（ＰＳ）またはホスファチジルエタノールアミン（ＰＥ）である、請求項４記載の薬学的組成物。
【請求項６】
前記免疫原が陰イオン性脂質を含む、請求項１記載の薬学的組成物。
【請求項７】
前記陰イオン性脂質が、ＰＳ、ＰＥ、カルジオリピン（ＣＬ）、１，２−ジオレオイル−ｓｎ−グリセロ−３−ホスファチジルエタノールアミン（ＤＯＰＥ）、または死菌梅毒トレポネーマ（Ｔｒｅｐｏｎｅｍａ  ｐａｌｌｉｄｕｍ）である、請求項６記載の薬学的組成物。
【請求項８】
前記免疫原が、ＰＳ、ＰＥまたはＣＬを含むリポソームを含む、請求項６記載の薬学的組成物。
【請求項９】
モノホスホリル脂質Ａ、Ｔｏｌｌ様受容体（ＴＬＲ）−７またはＴＬＲ−９を含むアジュバントをさらに含む、請求項６記載の薬学的組成物。
【請求項１０】
前記免疫原がＰＳまたはＰＥの六方晶ＩＩ型である、請求項１記載の薬学的組成物。
【請求項１１】
前記抗原がＣＤ４０である、請求項１記載の薬学的組成物。
【請求項１２】
前記免疫原が遊離または誘導体化ヒトまたはアカゲザル（ｒｈｅｓｕｓ）ＣＤ４０である、請求項１１記載の薬学的組成物。
【請求項１３】
前記ＣＤ４０が破傷風毒素またはキーホールリンペット（ｋｅｙｈｏｌｅ  ｌｉｍｐｅｔ）・ヘモシアニンで誘導体化されている、請求項１２記載の薬学的組成物。
【請求項１４】
前記免疫原が、アカゲザル、モルモット（ｇｕｉｎｅａ  ｐｉｇ）もしくはマウスＣＤ４０またはその突然変異型、あるいはアカゲザル、モルモットもしくはマウスＣＤ４０またはその突然変異型をコードする核酸配列を含み、そしてＣＤ４０に結合するが、ＣＤ４０上のＣＤ４０リガンド結合部位には結合しない、抗ＣＤ４０抗体の誘導を生じる、請求項１１記載の薬学的組成物。
【請求項１５】
前記免疫原が、アカゲザル、モルモットもしくはマウスＣＤ４０またはその突然変異型
をコードする核酸配列を含む、請求項１４記載の薬学的組成物。
【請求項１６】
前記核酸配列が、機能可能であるようにプロモーターに連結されて、ベクター中に存在する、請求項１５記載の薬学的組成物。
【請求項１７】
前記抗体が非病原性である、請求項１記載の薬学的組成物。
【請求項１８】
ＨＩＶ−１によるヒト被験体感受性細胞の感染を阻害するための薬学的組成物であって、ｍ４３型またはｍ９型抗体の産生を誘導する免疫原を含み、
前記薬学的組成物は、抗ＨＩＶケモカインが産生され、そしてそれによって感染の前記阻害が達成されるような量および条件下で投与される、前記薬学的組成物。
【請求項１９】
ＨＩＶ−１のＣＸＣＲ４を利用する株によるヒト被験体感受性細胞の感染を阻害するための薬学的組成物であって、ターゲット細胞からＳＤＦ−１の放出を生じる抗体の産生を誘導する免疫原を含み、前記薬学的組成物は、前記阻害が達成されるような量および条件下で投与される、前記薬学的組成物。
【手続補正書】
【提出日】平成24年9月11日(2012.9.11)
【手続補正１】
【補正対象書類名】特許請求の範囲
【補正対象項目名】全文
【補正方法】変更
【補正の内容】
【特許請求の範囲】
【請求項１】
粘膜を介する治療薬の吸収を促進する吸収促進剤を含む医薬組成物であって、
該吸収促進剤は、ポリエチレングリコール６６０ヒドロキシ脂肪酸エステルを含み、
前記治療薬は、ｌｏｇＰ値が３未満であり、（ａ）ペプチド、タンパク質、核酸、抗原又はワクチンであり、又は、（ｂ）Ｐ−糖タンパク質（Ｐ−Ｇｐ）の基質を除くものである医薬組成物。
【請求項２】
治療薬と、ポリエチレングリコール６６０ヒドロキシ脂肪酸エステルを含む吸収促進剤と、を含み、鼻腔、口腔及び／又は呼吸器官の粘膜への投与が可能な形態であり、
前記治療薬は、ｌｏｇＰ値が３未満であり、（ａ）ペプチド、タンパク質、核酸、抗原又はワクチンであり、又は、（ｂ）Ｐ−糖タンパク質（Ｐ−Ｇｐ）の基質を除くものである医薬組成物。
【請求項３】
治療薬と、ポリエチレングリコール６６０ヒドロキシ脂肪酸エステルを含む吸収促進剤と、を含み、粒状形態であり、
前記治療薬は、ｌｏｇＰ値が３未満であり、（ａ）ペプチド、タンパク質、核酸、抗原又はワクチンであり、又は、（ｂ）Ｐ−糖タンパク質（Ｐ−Ｇｐ）の基質を除くものである医薬組成物。
【請求項４】
前記吸収促進剤は、ポリエチレングリコールのヒドロキシ脂肪酸エステルと、遊離ポリエチレングリコールと、を含む請求項１〜３のいずれか一項に記載の医薬組成物。
【請求項５】
前記吸収促進剤は、ポリエチレングリコールのヒドロキシ脂肪酸エステル３０重量％〜９０重量％と、遊離ポリエチレングリコール１０重量％〜５０重量％と、を含む請求項４記載の医薬組成物。
【請求項６】
前記吸収促進剤の量は、全組成物の少なくとも０．００１重量％である請求項１〜５のいずれか一項に記載の医薬組成物。
【請求項７】
前記吸収促進剤の量は、全組成物の９９重量％以下である請求項１〜５のいずれか一項に記載の医薬組成物。
【請求項８】
前記吸収促進剤の量は、全組成物の０．００１重量％〜９９重量％である請求項１〜５のいずれか一項に記載の医薬組成物。
【請求項９】
前記治療薬の分子量は１０００より大きい請求項１〜８のいずれか一項に記載の医薬組成物。
【請求項１０】
前記治療薬は、生物製剤である請求項１〜９のいずれか一項に記載の医薬組成物。
【請求項１１】
前記治療薬は、ＤＮＡ、ｃＤＮＡ、ＲＮＡ、ＳｉＲＮＡ及びＲＮＡｉからなる群より選択される核酸である請求項１〜１０のいずれか一項に記載の医薬組成物。
【請求項１２】
前記治療薬は、インシュリン、グルカゴン、ロイプロリド、成長ホルモン、副甲状腺ホルモン、カルシトニン、血管内皮生長因子、エリトロポイエチン、ヘパリン、シクロスポリン、オキシトシン、チロシン、エンケファリン、チロトロピン放出ホルモン、濾胞刺激ホルモン、黄体化ホルモン、バソプレシン及びバソプレシン類縁体、カタラーゼ、スーパーオキシドジスムターゼ、インターロイキン−ＩＩ、インターフェロン、コロニー刺激因子、腫瘍壊死因子、メラニン細胞刺激ホルモン、グルカゴン様ペプチド−１及びその誘導体、グルカゴン様ペプチド−２及びその誘導体、カタカルシン、コレシストキニン−１２、コレシストキニン−８、エキセンジン、ゴナドリベリン関連ペプチド、インシュリン様タンパク質、ロイシンエンケファリン、メチオニンエンケファリン、ロイモルフィン、ニューロフィジン、コペプチン、神経ペプチドＹ、神経ペプチドＡＦ、ＰＡＣＡＰ関連ペプチド、膵臓ホルモン、ペプチドＹＹ、ウロテンシン、腸ペプチド、向副腎皮質性ペプチド、上皮成長因子、プロラクチン、黄体形成ホルモン放出ホルモン（ＬＨＲＨ）、ＬＨＲＨアゴニスト、成長ホルモン放出因子、ソマトスタチン、ガストリン、テトラガストリン、ペンタガストリン、エンドルフィン及びアンジオテンシン、甲状腺刺激ホルモン放出ホルモン、腫瘍壊死因子、顆粒球コロニー刺激因子、顆粒球マクロファージコロニー刺激因子、マクロファージコロニー刺激因子、ヘパリナーゼ、血管内皮細胞増殖因子、酵素及び糖タンパク質からなる群より選択される核酸である請求項１〜１０のいずれか一項に記載の医薬組成物。
【請求項１３】
前記治療薬は、生物製剤分類体系のクラスＩＩＩに属する請求項１〜１２のいずれか一項に記載の医薬組成物。
【請求項１４】
前記医薬組成物は、１種以上の添加剤及び／又は医薬として許容し得る担体を更に含む請求項１〜１３のいずれか一項に記載の医薬組成物。
【請求項１５】
前記医薬組成物は、生体付着剤、ゲル化剤及び／又は増粘剤を更に含む請求項１４記載の医薬組成物。
【請求項１６】
前記医薬組成物は、１種以上の付加的な治療薬を含む請求項１〜１５のいずれか一項に記載の医薬組成物。
【請求項１７】
前記医薬組成物は、１種以上の付加的な吸収促進剤を含む請求項１〜１６のいずれか一項に記載の医薬組成物。
【請求項１８】
前記付加的な吸収促進剤は、シクロデキストリン及びシクロデキストリン誘導体、胆汁酸塩、ポリＬ−アルギニン、キトサン及びキトサン誘導体、リン脂質、リゾリン脂質、ポリアクリル酸、ヒアルロン酸、カプリン酸ナトリウム、並びにアミノ化ゼラチンからなる群より選択される請求項１７記載の医薬組成物。
【請求項１９】
前記付加的な吸収促進剤の量は、全組成物の１０重量％以下である請求項１７または１８記載の医薬組成物。
【請求項２０】
前記粘膜は、鼻、頬、肺、膣又は直腸の粘膜である請求項１〜１９のいずれか一項に記載の医薬組成物。
【請求項２１】
前記粘膜は、鼻、頬、又は肺の粘膜である請求項２０記載の医薬組成物。
【請求項２２】
前記組成物は、経口投与用である請求項１〜２１のいずれか一項に記載の医薬組成物。
【請求項２３】
前記医薬組成物は、スプレー、エアロゾル、乾燥粉末、口腔の錠剤若しくはカプセル剤、口腔錠若しくは舌下錠、トローチ若しくはロゼンジ、ペッサリー、坐薬、浣腸、ドロップ、又は薄膜の形態である請求項１〜２２のいずれか一項に記載の医薬組成物。
【請求項２４】
前記医薬組成物は、スプレー、エアロゾル、乾燥粉末、口腔錠若しくは舌下錠、トローチ若しくはロゼンジ、又は薄膜の形態である請求項２３記載の医薬組成物。
【請求項２５】
前記組成物は、噴霧乾燥又はフリーズドライした粒子、マイクロスフィア又はナノ粒子の形態である請求項３記載の医薬組成物。
【請求項２６】
請求項１〜２５のいずれか一項に記載の医薬組成物における吸収促進剤の使用方法であって、
該吸収促進剤を、治療薬を含む医薬組成物に使用することにより、粘膜を介する該治療薬の吸収を促進する吸収促進剤の使用。
【請求項２７】
粘膜を介する治療薬の吸収を促進する吸収促進剤を含む請求項１〜２５のいずれか一項に記載の医薬組成物の製造方法であって、
該医薬組成物に、ポリエチレングリコール６６０ヒドロキシ脂肪酸エステルを含んだ吸収促進剤を含有する段階を含み、
前記治療薬は、ｌｏｇＰ値が３未満であり、（ａ）ペプチド、タンパク質、核酸、抗原又はワクチンであり、又は、（ｂ）Ｐ−糖タンパク質（Ｐ−Ｇｐ）の基質を除くものである製造方法。
【手続補正書】
【提出日】平成24年8月31日(2012.8.31)
【手続補正１】
【補正対象書類名】特許請求の範囲
【補正対象項目名】全文
【補正方法】変更
【補正の内容】
【特許請求の範囲】
【請求項１】
筋収縮を抑制し、それによって皮膚組織を緩めるのに効果的な、レウコユム・アエスティバム球根の水性抽出物を含む組成物。
【請求項２】
前記抽出物が、前記球根の休眠状態とは無関係に得られる、請求項１に記載の組成物。
【請求項３】
前記水性抽出物の量が、皮膚のしわ、皮膚の細かい線及び皮膚の大きなしわのうちの少なくとも１つを改善、低減及び／又は除外するのに効果がある、請求項１に記載の組成物。
【請求項４】
前記量が、酸化損傷から皮膚を保護するのに更に効果がある、請求項３に記載の組成物。
【請求項５】
前記組成物が、前記皮膚上へ局所的に投与されるように配合される、請求項１〜４のいずれか１項に記載の組成物。
【請求項６】
前記組成物が、皮下送達、皮内送達又は経皮送達を介して投与されるように配合される、請求項５に記載の化合物。
【請求項７】
前記抽出物の量が、前記抽出物が液体状である場合、前記組成物の全量に基づいて約０．０１％〜約９９．９％（重量／重量）である、請求項３又は４のいずれか１項に記載の組成物。
【請求項８】
前記抽出物の量が約０．０１％〜約３０％（重量／重量）である、請求項７に記載の組成物。
【請求項９】
前記抽出物の量が、前記抽出物が乾燥形態である場合、前記組成物の全量に基づいて約０．０００１％〜約０．９９％（重量／重量）である、請求項３又は４のいずれか１項に記載の組成物。
【請求項１０】
前記抽出物の量が約０．０００１％〜約０．３％（重量／重量）である、請求項９に記載の組成物。
【請求項１１】
前記組成物が、美容面で効果のある希釈剤又は担体を更に含む化粧料組成物である、請求項１に記載の組成物。
【請求項１２】
前記抽出物が、筋細胞の収縮作用を抑制するのに効果がある、休眠状態ではないレウコユム球根の水性抽出物。
【請求項１３】
前記抽出物が、更に、酸化損傷から皮膚を保護するのに効果がある、請求項１２に記載の抽出物。
【請求項１４】
前記レウコユムが、レウコユム・アエスティバムである、請求項１２に記載の抽出物。
【請求項１５】
活性成分として、請求項１２〜１４のいずれか１項に記載の前記水性抽出物を含み、美容面で効果のある希釈剤又は担体を更に含む、化粧料組成物。
【請求項１６】
前記組成物が、前記抽出物が液体状である場合、約０．０１％〜約９９．９％（重量／重量）又は約０．０１％〜約３０％（重量／重量）の前記レウコユム抽出物を含む、請求項１５に記載の化粧料組成物。
【請求項１７】
前記組成物が、前記抽出物が乾燥粉末状である場合、約０．０００１％〜約０．９９％（重量／重量）又は約０．０００１％〜約０．３％（重量／重量）の前記レウコユム抽出物を含む、請求項１５に記載の化粧料組成物。
【請求項１８】
局所的付与のために、水溶液、クリーム、ローション、油中水型又は水中油型乳剤、多重乳剤、シリコーン乳剤、マイクロ乳剤、ナノ乳剤、ゲル、血清及び乳汁から選択される形態で、若しくは、皮下注入、皮内注入又は経皮送達から成る群から選択される直接付与の形態で配合される、請求項１５に記載の化粧料組成物。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
2型糖尿病、インスリン抵抗性、インスリン産生低下、高血糖、低インスリン血症、代謝症候群、1型糖尿病、薬物誘発性糖尿病、妊娠誘発性糖尿病および肥満からなる群より選択される疾患または病態を、対象において処置する方法であって、0.0005 mg/kg〜1 mg/kgの用量で投与される、抗IL-1β抗体またはその断片の1回または複数回用量を対象に投与する段階を含む、前記方法。
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
軸索退縮に関連するニューロン損傷を治療するための組成物であって、該組成物は、幹細胞または前記幹細胞から分泌される因子を含み、該組成物は、軸索退縮を低減し、前記軸索退縮に関連する神経損傷を低減するために、前記損傷に十分に近接して十分な時間、十分な量で投与されるものであることを特徴とする、組成物。
【請求項２】
軸索退縮をもたらすであろうジストロフィー軸索へのＥＤ−１＋細胞の接着を低減するための組成物であって、該組成物は、幹細胞または前記幹細胞から分泌される因子を含み、該組成物は、前記接着を低減するために、前記ジストロフィー軸索および／または前記ＥＤ−１＋細胞に十分に近接して十分な時間、十分な量で投与されるものであることを特徴とする、組成物。
【請求項３】
被験体における軸索退縮を低減するための組成物であって、該組成物は、幹細胞または前記幹細胞から分泌される因子を含み、該組成物は、軸索退縮を低減するために、有効な量で十分な時間投与されるものであることを特徴とする、組成物。
【請求項４】
前記ＥＤ−１＋細胞がマクロファージおよび／またはミクログリアである、請求項２に記載の組成物。
【請求項５】
被験体における軸索再生を促進するための組成物であって、該組成物は、幹細胞または前記幹細胞から分泌される因子を含み、該組成物は、軸索再生を促進するために、有効な量で十分な時間投与されるものであることを特徴とする、組成物。
【請求項６】
前記分泌因子が、前記幹細胞を細胞培養培地中で培養することによって馴化した前記細胞培養培地中に存在する、請求項１から５のいずれかに記載の組成物。
【請求項７】
前記幹細胞が、胚性幹細胞、ならびに複数の胚性胚葉の細胞型に分化し、かつ／またはｏｃｔ４、テロメラーゼ、ｒｅｘ−１、ｒｏｘ−１、ｓｏｘ−２およびＳＳＥＡ４の１つまたは複数を発現する能力を有する非胚性幹細胞からなる群から選択される、請求項１から６のいずれかに記載の組成物。
【請求項８】
前記幹細胞が組織特異的幹細胞である、請求項１〜６のいずれか１項に記載の組成物。
【請求項９】
前記組織特異的幹細胞が造血幹細胞、神経幹細胞または間葉系幹細胞である、請求項８に記載の組成物。
【請求項１０】
前記ニューロン損傷が、脊髄損傷、脳損傷、脳卒中、多発性硬化症、てんかんまたは神経変性疾患の結果である、請求項１から９のいずれかに記載の組成物。
【請求項１１】
前記神経変性疾患が、アルツハイマー病、パーキンソン病、筋萎縮性側索硬化症およびクロイツフェルト・ヤコブ病からなる群から選択される、請求項１０に記載の組成物。
【請求項１２】
前記組成物が分泌因子を含む、請求項１から３または５のいずれかに記載の組成物。
【請求項１３】
前記分泌因子が、前記幹細胞を培地中で培養することによって馴化した前記培地中に存在する、請求項１２に記載の組成物。
【手続補正２】
【補正対象書類名】明細書
【補正対象項目名】００２６
【補正方法】変更
【補正の内容】
【００２６】
本発明は、活性化マクロファージまたはミクログリアなどのＥＤ−１＋細胞がジストロフィー軸索と相互作用し、軸索を退縮させている、軸索ジストロフィーを生じた任意の神経系損傷を包含する。この神経系には、脳および脊髄を含めた中枢神経系の組織が含まれる。ジストロフィー軸索に関連する状態としては、それだけには限定されないが、脊髄に対する任意の種類の外傷性の影響によって生じる脊髄損傷（これらの影響には、脊髄の外側から加わる任意の力（椎間板ヘルニアを含む）、または脊髄空洞症などの脊髄の内側から加わる任意の力が含まれる）；脳の内側または外側からの任意の種類の外傷性の影響によって生じる脳損傷（すなわち、頭部外傷）；中枢神経系全体にわたる脳卒中（ｓｔｒｏｋｅ）（虚血性または溶血性）；多発性硬化症；てんかん；アルツハイマー病、パーキンソン病、筋萎縮性側索硬化症（ａｍｙｌｏｔｒｏｐｉｃ  ｌａｔｅｒａｌ  ｓｃｌｅｒｏｓｉｓ）（ルー・ゲーリック病）およびクロイツフェルト・ヤコブ病（ＣＪＤ）などの神経変性疾患が挙げられる。
本発明の好ましい実施形態では、例えば以下が提供される：
（項目１）
軸索退縮に関連するニューロン損傷を治療するための方法であって、幹細胞または前記幹細胞から分泌される因子を、軸索退縮を低減し、前記軸索退縮に関連する神経損傷を低減するために、前記損傷に十分に近接して十分な時間、十分な量で投与することを含む方法。
（項目２）
軸索退縮をもたらすであろうジストロフィー軸索へのＥＤ−１＋細胞の接着を低減するための方法であって、幹細胞または前記幹細胞から分泌される因子を、前記接着を低減するために、前記ジストロフィー軸索および／または前記ＥＤ−１＋細胞に十分に近接して十分な時間、十分な量で投与することを含む方法。
（項目３）
幹細胞または前記幹細胞から分泌される因子を、軸索退縮を低減するために、有効な量で十分な時間投与することにより、被験体における軸索退縮を低減するための方法。
（項目４）
前記ＥＤ−１＋細胞がマクロファージおよび／またはミクログリアである、項目１から３のいずれかに記載の方法。
（項目５）
幹細胞または前記幹細胞から分泌される因子を、軸索再生を促進するために、有効な量で十分な時間投与することにより、被験体における軸索再生を促進するための方法。
（項目６）
前記分泌因子が、前記幹細胞を細胞培養培地中で培養することによって馴化した前記細胞培養培地中に存在する、項目１から５のいずれかに記載の方法。
（項目７）
前記幹細胞が、胚性幹細胞、ならびに複数の胚性胚葉の細胞型に分化し、かつ／またはｏｃｔ４、テロメラーゼ、ｒｅｘ−１、ｒｏｘ−１、ｓｏｘ−２およびＳＳＥＡ４の１つまたは複数を発現する能力を有する非胚性幹細胞からなる群から選択される、項目１から６のいずれかに記載の方法。
（項目８）
前記非胚性幹細胞が組織特異的幹細胞である、項目７に記載の方法。
（項目９）
前記組織特異的幹細胞が造血幹細胞、神経幹細胞または間葉系幹細胞である、項目８に記載の方法。
（項目１０）
前記ニューロン損傷が、脊髄損傷、脳損傷、脳卒中、多発性硬化症、てんかんまたは神経変性疾患の結果である、項目１から９のいずれかに記載の方法。
（項目１１）
前記神経変性疾患が、アルツハイマー病、パーキンソン病、筋萎縮性側索硬化症およびクロイツフェルト・ヤコブ病である、項目１０に記載の方法。
（項目１２）
前記分泌因子が投与される、項目１から３または５のいずれかに記載の方法。
（項目１３）
前記分泌因子が、前記幹細胞を培地中で培養することによって馴化した前記培地中に存在する、項目１２に記載の方法。
【手続補正書】
【提出日】平成24年3月30日(2012.3.30)
【手続補正１】
【補正対象書類名】特許請求の範囲
【補正対象項目名】全文
【補正方法】変更
【補正の内容】
【特許請求の範囲】
【請求項１】
対象に抗IL-1β抗体またはその断片の1回または複数回用量を投与する段階を含む、β細胞機能の改善を必要としている対象におけるβ細胞機能の改善のための方法。
【手続補正書】
【提出日】平成24年9月3日(2012.9.3)
【手続補正１】
【補正対象書類名】特許請求の範囲
【補正対象項目名】全文
【補正方法】変更
【補正の内容】
【特許請求の範囲】
【請求項１】
a．慢性及び急性炎症、例えば、関節リウマチ、粥状硬化、再狭窄、膵炎、骨粗鬆症、
b．他の炎症性疾患、例えば、神経因性疼痛、移植片拒絶反応／移植片不能／移植性脈管障害、HIV感染／エイズ、妊娠中毒症、結節性硬化症、ギラン・バレー症候群、慢性炎症性脱髄性多発性神経根症、及び多発性硬化症、
c．神経炎症、並びに
d．神経炎症から結果として生じ得る神経変性疾患、例えば、軽度認知障害（MCI）、アルツハイマー病、ダウン症候群における神経変性、家族性英国型認知症、及び家族性デンマーク型認知症
からなる群から選択される炎症性の疾患又は容態を治療及び／又は予防するためのイソQC阻害剤。
【手続補正書】
【提出日】平成24年9月7日(2012.9.7)
【手続補正１】
【補正対象書類名】特許請求の範囲
【補正対象項目名】全文
【補正方法】変更
【補正の内容】
【特許請求の範囲】
【請求項１】
ＨＩＶ−１のＣＣＲ５向性株による、ヒト被験体の感受性細胞の感染を阻害するための薬学的組成物であって、
ＣＬ１の結合特異性を有する抗体またはその断片を、前記抗体または前記その断片が、前記被験体の細胞であって：
ｉ）ＣＣＲ５結合性ケモカインを産生し、そして
ｉｉ）その細胞表面上に前記抗体または前記その断片によって認識される抗原を有し、したがって、前記細胞による前記ケモカインの産生が、単独でまたはＨＩＶ−１の前記株の存在下で、前記抗体または前記その断片によってのいずれかで、前記感受性細胞の感染を阻害するのに十分なレベルまで誘導される
前記細胞、に結合する量で含み、
前記薬学的組成物は、ＨＩＶ−１の前記株への前記ヒト被験体曝露の４８時間以内に投与される
前記薬学的組成物。
【請求項２】
前記感受性細胞がＴ細胞である、請求項１記載の薬学的組成物。
【請求項３】
前記断片が、ｓｃＦｖ、Ｆｖ、Ｆａｂ’、ＦａｂまたはＦ（ａｂ’）２断片である、請求項１記載の薬学的組成物。
【請求項４】
局所投与される、請求項１記載の薬学的組成物。
【請求項５】
前記被験体の粘膜表面に投与される、請求項４記載の薬学的組成物。
【請求項６】
ＨＩＶ−１のＣＣＲ５向性株による、ヒト被験体の感受性細胞の感染を阻害するための薬学的組成物方法であって、
モノクローナル抗体ＣＬ１またはその断片を、前記抗体または前記その断片が、前記被験体の細胞であって：
ｉ）ＣＣＲ５結合性ケモカインを産生し、そして
ｉｉ）その細胞表面上に前記抗体または前記その断片によって認識される抗原を有し、したがって、前記細胞による前記ケモカインの産生が、単独でまたはＨＩＶ−１の前記株の存在下で、前記抗体または前記その断片によってのいずれかで、前記感受性細胞の感染を阻害するのに十分なレベルまで誘導される
前記細胞、に結合する量で含み、
前記薬学的組成物は、ＨＩＶ−１の前記株への前記ヒト被験体曝露の４８時間以内に投与される
前記薬学的組成物。
【請求項７】
前記感受性細胞がＴ細胞である、請求項６記載の薬学的組成物。
【請求項８】
前記断片が、ｓｃＦｖ、Ｆｖ、Ｆａｂ’、ＦａｂまたはＦ（ａｂ’）２断片である、請求項６記載の薬学的組成物。
【請求項９】
局所投与される、請求項６記載の薬学的組成物。
【手続補正書】
【提出日】平成24年6月8日(2012.6.8)
【手続補正１】
【補正対象書類名】特許請求の範囲
【補正対象項目名】全文
【補正方法】変更
【補正の内容】
【特許請求の範囲】
【請求項１】
結核の治療用の医薬の製造における少なくとも２つの抗結核剤と組み合わせての式：
【化１】
2012502017.tif 000001
の化合物又はその薬学的に許容される塩の使用。
【請求項２】
少なくとも２つの薬剤が、イソニアジド、リファンピン、リファペンチン、リファブチン、ピラジナミド、エタンブトール、ストレプトマイシン、カナマイシン、アミカシン、モキシフロキサシン、ガチフロキサシン、レボフロキサシン、オフロキサシン、シプロフロキサシン  カプレオマイシン、エチオナミド、サイクロセリン、パラアミノサリチル酸、チアセタゾン、クラリスロマイシン、アモキシシリン−クラブラン酸、イミペネム、メロペネム、バイオマイシン、テリジドン、TMC207、PA−824、OPC−7683、LL−3858及びSQ−109からなる群より選択される、請求項１に記載の使用。
【請求項３】
少なくとも２つの薬剤のうちの１つが、イソニアジド、リファンピン、リファペンチン、リファブチン、ピラジナミド、モキシフロキサシン、ガチフロキサシン、レボフロキサシン、オフロキサシン、シプロフロキサシン、及びエタンブトールからなる群より選択される、請求項１に記載の使用。
【請求項４】
少なくとも２つの薬剤のうちの１つが、ピラジナミド、リファンピン、リファペンチン及びイソニアジドからなる群より選択される、請求項１に記載の使用。
【請求項５】
結核についての、治療初期段階を被験体が受けた後に結核を治療するための医薬の製造における少なくとも１つの抗結核剤と組み合わせての式（Ｉ）の化合物又はその薬学的に許容される塩の使用：
【化２】
2012502017.tif 000002
【請求項６】
少なくとも１つの薬剤が、リファンピン、リファペンチン、リファブチン、ピラジナミド、エタンブトール、ストレプトマイシン、カナマイシン、アミカシン、モキシフロキサシン、ガチフロキサシン、レボフロキサシン、オフロキサシン、シプロフロキサシン、カプレオマイシン、エチオナミド、サイクロセリン、パラアミノサリチル酸、チアセタゾン、クラリスロマイシン、アモキシシリン−クラブラン酸、イミペネム、メロペネム、バイオマイシン、テリジドン、TMC207、PA−824、OPC−7683、LL−3858及びSQ−109からなる群より選択される、請求項５に記載の使用。
【請求項７】
活動性結核が、薬剤感受性結核、単剤耐性結核、多剤耐性結核（MDR）及び広範囲薬剤
耐性結核（XDR）からなる群より選択される、請求項５又は６に記載の使用。
【請求項８】
（ｉ）治療有効量の式（Ｉ）の化合物又はその薬学的に許容される塩：
【化３】
2012502017.tif 000003
（ii）治療有効量の結核の治療において有用な少なくとも１つの薬剤、及び
（iii）１つ又はそれ以上の薬学的に許容される担体又はビヒクル
を含む、薬学的組成物。
【請求項９】
少なくとも１つの薬剤が、イソニアジド、リファンピン、リファペンチン、リファブチン、ピラジナミド、エタンブトール、ストレプトマイシン、カナマイシン、アミカシン、モキシフロキサシン、ガチフロキサシン、レボフロキサシン、オフロキサシン、シプロフロキサシン、カプレオマイシン、エチオナミド、サイクロセリン、パラアミノサリチル酸、チアセタゾン、クラリスロマイシン、アモキシシリン−クラブラン酸、イミペネム、メロペネム、バイオマイシン、テリジドン、TMC207、PA−824、OPC−7683、LL−3858及びSQ−109からなる群より選択される、請求項８に記載の薬学的組成物。
【請求項１０】
少なくとも１つの薬剤が、イソニアジド、リファンピン、リファペンチン、リファブチン、ピラジナミド、モキシフロキサシン、ガチフロキサシン、レボフロキサシン、オフロキサシン、及びエタンブトールからなる群より選択される、請求項８又は９に記載の薬学的組成物。